(57)【特許請求の範囲】
【請求項１】
箱体内を換気するために前記箱体の側板に形成した開口部に取り付けられるフィルターユニットにおいて、前記開口部の周囲に当接する枠部裏面に前記開口部の上辺に係止するための上側折曲片を上方向に突設して形成し、前記開口部の下辺に係止するための下側折曲片を下方向に突設して形成し、前記上側折曲片の先端から前記下側折曲片の先端までの寸法は前記開口部の縦寸法より大きくなるようにするとともに、前記上側折曲片の基端部から前記下側折曲片の先端までの寸法は前記開口部の縦寸法より小さくなるようにして前記開口部に仮止め可能にしたことを特徴とするフィルターユニット。
【発明の詳細な説明】
【０００１】
【発明の属する技術分野】
本発明は、箱体内を換気するためのフィルターユニットの構造に関する。
【０００２】
【従来の技術】
従来、図３及び図４に示すように箱体１６内を換気するために箱体１６の側板１６ａに形成した開口部１６ｂに取り付けられるフィルターユニット１１は、前面と背面を開口してその内部にフィルター（図示せず）を収納したフィルター収納部１２ａと、フィルター収納部１２ａの前面開口周縁に張設された枠部１２ｂとを有する本体１２と、本体１２のフィルター収納部１２ａの前面開口を閉塞する多数のスリット孔１３ａが形成されたパネル１３とで構成されている。枠部１２ｂの四隅には前面からネジ１４が挿通され、裏側のネジ１４の先端に固定片１５が螺合された固定手段が設けられている。フィルターユニット１１のフィルター収納部１２ａを箱体１６の開口部１６ｂに挿通させ、枠部１２ｂを開口部１６ｂの周囲の側板１６ａに当接させた状態で、前面からネジ１４を締め付けることにより、ネジ１４に螺合した固定片１５が回転して枠部１２ｂの裏面に突設した回転規制片１２ｆに当接し、固定片１５の先端側は箱体１６の側板１６ａの裏側に回り込む。それから更に締め付けることにより固定片１５は回転規制片１２ｆに回転が規制されているので枠部１２ｂ側に移動し、固定片１５と枠部１２ｂとで箱体の側板１６ａを挟持してフィルターユニット１１は固定される。
【０００３】
【発明が解決しようとする課題】
このように従来技術では、フィルターユニット１１を仮止めする構造がないのでフィルターユニット１１を箱体１５に取り付ける際にフィルターユニット１１が手前側に倒れないように片手で押さえながら作業をしなければならず、非常に作業性が悪いという欠点があった。
【０００４】
そこで上記問題点に鑑み、本発明の目的は、フィルターユニットの取り付け時に簡単な操作で仮止めすることができ、取り付け作業性を大幅に向上させるフィルターユニットを提供することである。
【０００５】
【課題を解決するための手段】
上記目的を達成するために、箱体内を換気するために箱体の側板に形成した開口部に取り付けられるフィルターユニットにおいて、開口部の周囲に当接する枠部裏面の上下に開口部の上辺に係止するための上側折曲片を上方向に突設して形成し、前記開口部の下辺に係止するための下側折曲片を下方向に突設して形成し、前記上側折曲片の先端から前記下側折曲片の先端までの寸法は前記開口部の縦寸法より大きくなるようにするとともに、前記上側折曲片の基端部から前記下側折曲片の先端までの寸法は前記開口部の縦寸法より小さくなるようにして前記開口部に仮止め可能にしたことを特徴とする。
【０００６】
【発明の実施の形態】
本発明によれば、箱体内を換気するために箱体の側板に形成した開口部に取り付けられるフィルターユニットにおいて、開口部の周囲に当接する枠部裏面の上下に開口部の上辺に係止するための上側折曲片を上方向に突設して形成し、前記開口部の下辺に係止するための下側折曲片を下方向に突設して形成し、前記上側折曲片の先端から前記下側折曲片の先端までの寸法は前記開口部の縦寸法より大きくなるようにするとともに、前記上側折曲片の基端部から前記下側折曲片の先端までの寸法は前記開口部の縦寸法より小さくなるようにして前記開口部に仮止め可能にしたことにより、簡単な構造でフィルターユニットを仮止めすることができ、取り付け作業性を大幅に向上させる。
【０００７】
【実施例】
本発明に係るフィルターユニットの一実施例を図１及び図２の添付図面に基づいて説明する。
【０００８】
フィルターユニット１は、前面と背面を開口してその内部にフィルター（図示せず）を収納したフィルター収納部２ａと、フィルター収納部２ａの前面開口周縁に張設された枠部２ｂとを有する本体２と、本体２のフィルター収納部２ａの前面開口を閉塞する多数のスリット孔３ａが形成されたパネル３とで構成されている。また、枠部２ｂの四隅には前面からネジ４が挿通され、裏側のネジ４の先端に固定片５が螺合された固定手段が設けられている。
【０００９】
フィルターユニット１が取り付けられる箱体６は、側板６ａに開口部６ｂが形成され、開口部６ｂはフィルターユニット１のフィルター収納部２ａの寸法より大きく、枠部２ｂの寸法より小さく形成されている。
【００１０】
フィルターユニット１の枠部２ｂの裏面の上下には、箱体６の開口部６ｂに係止するための上側折曲片２ｃと下側折曲片２ｄが形成されいる。上側折曲片２ｃは上方向に略直角に折曲形成され、下側折曲片２ｄは下方向に湾曲して折曲形成されている。上側折曲片２ｃの先端から下側折曲片２ｄの先端までの寸法は開口部６ｂの縦寸法より大きく、上側折曲片２ｃの基端部２ｅから下側折曲片２ｄの先端までの寸法は開口部６ｂの縦寸法より小さく形成されている。
【００１１】
箱体６の開口部６ｂへの仮止め方法は、まず、図２（ａ）に示すようにフィルターユニット１の上側を斜めに少し倒して枠部２ｂの上部を箱体６の開口部６ｂ上側の側板６ａに当接させ、そのまま、フィルターユニット１を上方向に押し上げる。そうすると、箱体６の開口部６ｂの上辺が枠部２ｂの上側折曲片２ｃに嵌る。それから図２（ｂ）に示すように枠部２ｂを押し上げた状態で開口部６ｂに枠部２ｂの下側折曲片２ｄを挿通させて枠部２ｂを開口部６ｂ下側の側板６ａに当接させ、手を離して下側折曲片２ｄを開口部６ｂの下辺に引っ掛ける。手を離しても上側折曲片２ｃは開口部６ｂの上辺に係止し、下側折曲片２ｄは湾曲しているので滑り落ちない。
【００１２】
こうしてフィルターユニット１を仮止めした状態でフィルターユニット１の前面からネジ４を締め付けることにより、ネジ４に螺合した固定片５が回転して枠部２ｂの裏面に突設した回転規制片２ｆに当接し、固定片５の先端側は箱体６の側板６ａの裏側に回り込む。それから更に締め付けることにより固定片５は回転規制片２ｆに回転が規制されているので枠部２ｂ側に移動し、固定片５と枠部２ｂとで箱体の側板６ａを挟持してフィルターユニット１は固定される。固定作業は両手が自由に使えるので非常に作業性が良い。
【００１３】
尚、本実施例において、枠部の四隅にネジを挿通させて裏側に固定片を螺合し、前面からネジを締め付けることにより枠部と固定片とで箱体の側板を挟持して固定したが、フィルターユニットの固定手段について限定はなく、適宜変更可能である。
【００１４】
【発明の効果】
以上説明したように本発明によれば、箱体内を換気するために箱体の側板に形成した開口部に取り付けられるフィルターユニットにおいて、開口部の周囲に当接する枠部裏面の上下に開口部の上辺に係止するための上側折曲片を上方向に突設して形成し、前記開口部の下辺に係止するための下側折曲片を下方向に突設して形成し、前記上側折曲片の先端から前記下側折曲片の先端までの寸法は前記開口部の縦寸法より大きくなるようにするとともに、前記上側折曲片の基端部から前記下側折曲片の先端までの寸法は前記開口部の縦寸法より小さくなるようにして前記開口部に仮止め可能にしたことにより、簡単な構造でフィルターユニットを仮止めすることができ、取り付け作業性を大幅に向上させるという効果がある。
【図面の簡単な説明】
【図１】  本発明に係るフィルターユニットを示す斜視図である。
【図２】  本発明に係るフィルターユニットの取り付け方法を示す側面図である。
【図３】  従来のフィルターユニットを示す斜視図である。
【図４】  従来のフィルターユニットの取り付け方法を示す側面図である。
【符号の説明】
１    フィルターユニット
２ｂ  枠部
２ｃ  上側折曲片
２ｄ  下側折曲片
６    箱体
６ａ  側板
６ｂ  開口部
【図１】
0003946029.tif 000002
【図２】
0003946029.tif 000003
【図３】
0003946029.tif 000004
【図４】
0003946029.tif 000005